(57)【要約】      （修正有）【課題】開封がし易く、液垂れがなく、不正開封が外観から明確に判明する封緘リング付口栓を提供する。【解決手段】キャップ１００は、その本体に環状薄肉脆弱線１０１を介し封緘リング１２０を接続し、周壁に雌ねじを設け、封緘リングの下端内周に咬合リング１２１を設け、側面の上端部に切欠きを設け、切欠きの下辺中央に開封用つまみを突出し、その下端から封緘リングの下端へ薄肉脆弱線を設け、スパウト２００は、注出筒２２０に液垂れ防止用フランジ２２１を設け、注出筒に雄ねじを設け、下方に咬合リング２２３を設け、注出筒内側下方の封鎖板に環状薄肉脆弱線２３２を形成し、その内側近傍位置に、先端部が注出筒より突出するプルリング２３４を設け、キャップをスパウトに打栓装着時、各咬合リング１２１、２２３同しが咬合し、キャップ本体の雌ねじの下方先端がスパウトの雄ねじの上方先端に螺合しない。【選択図】図１
2005067692.tif 000002
【特許請求の範囲】
【請求項１】
プルリングで開封するスパウトに、キャップを打栓方式で装着する口栓であって、前記キャップは、キャップ本体の周壁下端に環状薄肉脆弱線を介して封緘リングを接続し、前記キャップ本体の天板下面に前記スパウトの注出筒を封止するインナー封止リングを垂設し、周壁内周面に前記スパウトとの雌ねじを設け、前記封緘リングの下端部内周面に前記スパウトとの咬合リングを設け、側面の一部の上端部に長方形状の切欠きを設け、該切欠きの下辺中央部に開封用つまみを突出し、該開封用つまみの左右いずれかの下端から前記封緘リングの下端に至る薄肉脆弱線を設け、前記スパウトは、環状台座部の外周下端面に液体用紙容器との熱融着用フランジを周設し、上面に注出筒を立設し、該注出筒の上端に、上面が内側に傾斜し外周が外側に突出する液垂れ防止用フランジを設け、前記注出筒の外周面に、前記キャップとの雄ねじを設け、該雄ねじの下方に前記封緘リングとの咬合リングを設け、前記注出筒の内側下方に封鎖板を設け、該封鎖板の開口予定位置に環状薄肉脆弱線を形成し、該環状薄肉脆弱線の前方内側近傍位置に、先端部を前記注出筒より突出するプルリングを上端にもつ支柱を立設し、前記キャップを前記スパウトに打栓方式で装着したときに、前記キャップの封緘リングの咬合リングが、前記スパウトの注出筒の咬合リングに咬合し、かつ前記キャップ本体の雌ねじの下方先端が、前記スパウトの雄ねじの上方先端に螺合してないことを特徴とする封緘リング付口栓。
【発明の詳細な説明】
【技術分野】
【０００１】
本発明は、液体用紙容器の注出位置に突設されるプルリング付スパウトに、封緘リング付キャップが装着する封緘リング付口栓に関するものである。
【背景技術】
【０００２】
従来、食品などの液体内容物に使用される液体用紙容器（２０）は、例えば図５に示すように、胴部（２１）が四角筒状で、切り妻屋根形の頂部傾斜板（２２）に、キャップ（１００）とスパウト（２００）（注出口具）とからなる口栓（１０）が突設されたものが、使用時の便利性を考慮して、広い用途範囲にわたって使用されていた。そして、この口栓のスパウトには、流通過程での密封性の完全さやバージン性の確保、使用時の易開封性を備えるために、図４（ａ）に示すように、スパウト（２００）の注出筒（２２０）の内側下方に封鎖板（２３０）を設けて封止し、使用時に開口するため、封鎖板の下面に環状切込み（２３１）を設けて上面の開口予定位置に環状薄肉脆弱線（２３２）（ハーフカット線）を形成し、この環状薄肉脆弱線の内側近傍の上面に、先端にプルリング（２３４）をもつ支柱（２３３）を立設したものが使用されていた。また、キャップには、商品のバージン性の確保や内容物の保護を目的に、流通過程で誤って又は故意に開封されたことが外観から確認可能にするため、図４（ａ）及び（ｂ）に示すように、キャップ本体（１１０）の周壁（１１３）下端に、周方向へ等間隔に設ける複数個の薄肉脆弱ブリッジ（１０２）を介して封緘リング（１２０）を接続したものが使用されるようになってきた。なお、キャップ（１００）を螺脱回転方向へ回転して口栓を開封すると、図４（ａ）に示すように、封緘リング（１２０）の下端部内周面の咬合リング（１２１）がスパウト（２００）の注出筒（２２０）の下方外周面の咬合リング（２２３）と咬合しているため、キャップ本体（１１０）の上昇に伴い薄肉脆弱ブリッジ（１０２）が必ず破断される。この薄肉脆弱ブリッジの破断は、外観から容易に確認できるものであった。
【発明の開示】
【発明が解決しようとする課題】
【０００３】
しかしながら、上述の従来の液体用紙容器の口栓は、液体用紙容器の注出位置に突設するために、超音波熱融着法で液体用紙容器の内面とスパウトの熱融着用フランジの上面とを熱融着するときに、超音波の振動エネルギーにより、図４（ａ）に示すように、キャップ本体のインナー封止リング（１１２）外周面とスパウトの注出筒（２２０）口部の内周面とが密着しているため、若干熱融着気味になることがあった。このため、キャップを開封するときの開栓トルクが高くなり、キャップが開封しずらいことがあった。また、キャップ本体を螺脱したのち、スパウトを開封するときに、図４（ａ）に示すように、プルリング（２３４）が注出筒（２２０）内に収容されているため、プルリングに指を引っ掛けにくいことがあった。また、スパウトを開封し容器を傾斜させて内容物を注出したのちに、容器を正立させたときに、スパウトの注出筒の口部から注出筒の外周面へ内容物が液垂れすることなどがあった。
【０００４】
本発明は、上述の従来の液体用紙容器の口栓の問題点を解決したものであり、使用するときに、キャップやスパウトが開封し易く、液垂れがなく、流通過程で開封されたことが外観から明確に判明可能な封緘リング付口栓を提供するものである。
【課題を解決するための手段】
【０００５】
すなわち、本発明は、プルリングで開封するスパウトに、キャップを打栓方式で装着する口栓であって、前記キャップは、キャップ本体の周壁下端に環状薄肉脆弱線を介して封緘リングを接続し、前記キャップ本体の天板下面に前記スパウトの注出筒を封止するイン
ナー封止リングを垂設し、周壁内周面に前記スパウトとの雌ねじを設け、前記封緘リングの下端部内周面に前記スパウトとの咬合リングを設け、側面の一部の上端部に長方形状の切欠きを設け、この切欠きの下辺中央部に開封用つまみを突出し、この開封用つまみの左右いずれかの下端から前記封緘リングの下端に至る薄肉脆弱線を設け、前記スパウトは、環状台座部の外周下端面に液体用紙容器との熱融着用フランジを周設し、上面に注出筒を立設し、この注出筒の上端に、上面が内側に傾斜し外周が外側に突出する液垂れ防止用フランジを設け、前記注出筒の外周面に、前記キャップとの雄ねじを設け、この雄ねじの下方に前記封緘リングとの咬合リングを設け、前記注出筒の内側下方に封鎖板を設け、この封鎖板の開口予定位置に環状薄肉脆弱線を形成し、この環状薄肉脆弱線の前方内側近傍位置に、先端部を前記注出筒より突出するプルリングを上端にもつ支柱を立設し、前記キャップを前記スパウトに打栓方式で装着したときに、前記キャップの封緘リングの咬合リングが、前記スパウトの注出筒の咬合リングに咬合し、かつ前記キャップ本体の雌ねじの下方先端が、前記スパウトの雄ねじの上方先端に螺合してないことを特徴とする封緘リング付口栓である。
【発明の効果】
【０００６】
キャップをスパウトに打栓方式で装着した本発明の封緘リング付口栓は、液体用紙容器の注出位置に超音波熱融着法でスパウトの熱融着用フランジの上面と液体用紙容器の内面とを熱融着するときに、キャップ本体のインナー封止リングとスパウトの注出筒とが接触していないため、超音波の振動エネルギーにより、キャップ本体のインナー封止リングとスパウトの注出筒とが熱融着することがない。また、キャップ本体の雌ねじとスパウトの雄ねじとも接触していないため、キャップ本体のスパウトとが熱融着することがない。このため、キャップを開封し易い。
【０００７】
また、本発明の封緘リング付口栓は、封緘リングの側面の切欠きに設けられている開封用つまみを引っ張って、開封用つまみの下端から封緘リングの下端に至る薄肉脆弱線と、キャップ本体と封緘リングとを接続する環状薄肉脆弱線とを破断することにより、キャップをワンタッチで容易に開封することできる。
【０００８】
また、本発明の封緘リング付口栓は、キャップ本体を開封して取り外したときに、スパウトを開封するためのプルリングの先端部が、スパウトの注出筒より突出しているため、プルリングに指を掛けやすく、スパウトを開封し易い。
【０００９】
また、本発明の封緘リング付口栓は、スパウトを開封し容器を傾斜させて内容物を注出したのちに容器を正立させたときに、上面が内側に傾斜し外周が外側に突出する液垂れ防止用フランジが注出筒の上端に設けてあるため、注出筒の口部から注出筒の外周面に内容物が液垂れすることが防げる。
【００１０】
また、本発明の封緘リング付口栓は、流通過程で誤って又は故意にキャップを開封すると、必ずキャップ本体と封緘リングとを接続する環状薄肉脆弱線が破断し、この破断は外観から明確に判明できるため、商品のバージン性を確保することができる。
【発明を実施するための最良の形態】
【００１１】
次に、本発明の封緘リング付口栓の一実施形態について、図を用いて詳細に説明する。
【００１２】
図１は、本実施形態の封緘リング付口栓の構造を示す断面図であり、図２は、開封したのち再封止したときの構造を示す断面図であり、図３（ａ）は、封緘リングの開封つまみを示す側面図であり、図３（ｂ）は、開封したのち再封止したときの側面図である。
【００１３】
本実施形態の封緘リング付口栓（１０）は、図１に示すように、プルリング（２３４）
で開封するスパウト（２００）の注出筒（２２０）に、封緘リング（１２０）付のキャップ（１００）を打栓方式で装着するものである。本実施形態のキャップ（１００）の構造は、図１及び図３（ａ）に示すように、キャップ本体（１１０）の周壁（１１３）下端に環状薄肉脆弱線（１０１）を介して封緘リング（１２０）を接続するものである。そして、キャップ本体（１１０）は、図１に示すように、天板（１１１）下面に、再封止するときにスパウト（２００）の注出筒（２２０）口部を封止するためのインナー封止リング（１１２）を垂設し、周壁（１１３）内周面に、再封止するときにスパウトの雄ねじ（２２２）と螺合する雌ねじ（１１４）を設け、封緘リング（１２０）は、下端部内周面に、スパウトに打栓装着するときにスパウトの注出筒の下方の咬合リング（２２３）と咬合する咬合リング（１２１）を設け、図３（ａ）に示すように、側面の一部の上端部に長方形状の切欠き（１２２）を設け、この切欠きの下辺中央部に開封用つまみ（１２３）を突出し、この開封用つまみの左右いずれかの下端から封緘リング（１２０）の下端に至る薄肉脆弱線（１２４）を設けるものである。なお、キャップ本体（１１０）と封緘リング（１２０）とを接続する環状薄肉脆弱線（１０１）は、切欠き（１１２）以外に設けるものである。また、キャップは、薄肉脆弱線が破断可能な材質、例えば低密度ポリエチレン、直鎖低密度ポリエチレンなどの熱可塑性樹脂を用いて、射出成形法により作製するものである。
【００１４】
本実施形態のスパウト（２００）の構造は、図１に示すように、環状台座部（２１０）の外周下端面に、液体用紙容器（２０）の内面に熱融着する熱融着用フランジ（２４０）を周設し、上面に、注出筒（２２０）を立設し、この注出筒の上端に、上面が内側に傾斜し外周が外側に突出する液垂れ防止用フランジ（２２１）を設け、注出筒の外周面に、再封止するときにキャップ（１００）の雌ねじ（１１４）と螺合する雄ねじ（２２２）を設け、この雄ねじの下方にキャップを打栓装着するときにキャップの咬合リング（１２１）と咬合する咬合リング（２２３）を設け、注出筒の内側下方に、封鎖板（２３０）を設けて封止し、この封鎖板の開口予定位置に、上面に環状切込み（２３１）を設けて下面に環状薄肉脆弱線（２３２）を形成し、この環状薄肉脆弱線の前方内側近傍位置に、先端部を注出筒より突出するプルリング（２３４）を上端にもつ支柱（２３３）を立設するものである。スパウトは、キャップと同様に薄肉脆弱線が破断可能な材質、例えば低密度ポリエチレン、直鎖低密度ポリエチレンなどの熱可塑性樹脂を用いて、射出成形法により作製するものである。
【００１５】
なお、上述の本発明の封緘リング付口栓（１０）は、図１に示すように、キャップ（１００）をスパウト（２００）に打栓方式で装着したときに、キャップの封緘リング（１２０）の咬合リング（１２１）が、スパウトの注出筒（２２０）の咬合リング（２２３）に咬合し、かつキャップ本体（１１０）の雌ねじ（１１４）の下方先端が、スパウト（２００）の雄ねじ（２２２）の上方先端に螺合しないように製品設計するものである。
【００１６】
また、図３（ａ）に示す封緘リング（１２０）の開封用つまみ（１２３）を引っ張って薄肉脆弱線（１２４）と環状薄肉脆弱線（１０１）を破断してキャップ（１００）を開封し、図１に示すスパウト（２００）の注出筒（２２０）から突出しているプルリング（２３４）を引っ張って封鎖板（２３０）の環状薄肉脆弱線（２３２）を破断してスパウトを開封し、内容物を注出したのちに、キャップ本体でスパウトを再封止するときは、図２及び図３（ｂ）に示すように、キャップ本体（１１０）をスパウト（２００）の注出筒（２２０）に螺着させ、スパウトの注出筒の口部をキャップ本体の天板（１１１）下面に垂設するインナー封止リング（１１２）で封止するものである。
【図面の簡単な説明】
【００１７】
【図１】本発明の一実施形態の封緘リング付口栓の断面図である。
【図２】図１の封緘リング付口栓を開封し、再封止したときの断面図である。
【図３】（ａ）は、図１の封緘リング付口栓の開封用つまみを示す側面図であり、（ｂ）は、開封したのちに再封止したときの側面図である。
【図４】（ａ）は、液体用紙容器に突設する従来の一例の封緘リング付口栓の構造を示す断面図であり、（ｂ）は、その側面図である。
【図５】口栓を頂部傾斜板に突設する液体用紙容器の斜視図である。
【符号の説明】
【００１８】
１０……封緘リング付口栓
２０……液体用紙容器
２１……胴部
２２……頂部傾斜板
１００……キャップ
１０１……環状薄肉脆弱線
１０２……薄肉脆弱ブリッジ
１１０……キャップ本体
１１１……天板
１１２……インナー封止リング
１１３……周壁
１１４……雌ねじ
１２０……封緘リング
１２１，２２３……咬合リング
１２２……切欠き
１２３……開封用つまみ
２００……スパウト
２１０……環状台座部
２２０……注出筒
２２１……液垂れ防止用フランジ
２２２……雄ねじ
２３０……封鎖板
２３１……環状切込み
２３２……環状薄肉脆弱線
２３３……支柱
２３４……プルリング
２４０……熱融着用フランジ
【図１】
2005067692.tif 000003
【図２】
2005067692.tif 000004
【図３】
2005067692.tif 000005
【図４】
2005067692.tif 000006
【図５】
2005067692.tif 000007